【手続補正書】
【提出日】平成17年10月6日(2005.10.6)
【手続補正１】
【補正対象書類名】明細書
【補正対象項目名】発明の名称
【補正方法】変更
【補正の内容】
【発明の名称】情報変換システム
【手続補正２】
【補正対象書類名】明細書
【補正対象項目名】特許請求の範囲
【補正方法】変更
【補正の内容】
【特許請求の範囲】
【請求項１】  コンテンツの権利情報を処理する第１のリポジトリ部と、
前記第１のリポジトリ部で処理して得られた第１の権利情報を処理する情報変換部と、
前記情報変換部で処理して得られた第２の権利情報を処理する第２のリポジトリ部と、を有し、
前記情報変換部は、
前記第２のリポジトリ部の能力情報に応じて前記第１の権利情報の処理を行う、
情報変換システム。
【請求項２】  前記第２のリポジトリ部は、蓄積メディアである、請求項１記載の情報変換システム。
【請求項３】  前記情報変換部は、
前記第１のリポジトリ部から前記第２のリポジトリ部に送信される、コンテンツの権利情報を取得する第１取得手段と、
前記第２のリポジトリ部の能力情報を取得する第２取得手段と、
前記第１取得手段によって取得された権利情報を、前記第２取得手段によって取得された能力情報に基づいて、変換ポリシーに従って変換する変換手段と、
前記変換手段の変換結果を前記第２のリポジトリ部に送信する送信手段と、
を有する請求項１または請求項２記載の情報変換システム。
【請求項４】  前記変換ポリシーには、異なる属性への変換が記述されている、請求項３記載の情報変換システム。
【請求項５】  前記変換ポリシーには、通信手段の違いによる権利情報の変換が記述されている、請求項３記載の情報変換システム。
【請求項６】  前記変換ポリシーは、前記権利情報の中に記録されている、請求項３記載の情報変換システム。
【請求項７】  前記情報変換部は、
前記変換ポリシーを保持する保持手段をさらに有する、
請求項３記載の情報変換システム。
【請求項８】  前記権利情報の中には、前記変換ポリシーを指定するＩＤが記録されており、
前記情報変換部は、
前記ＩＤに対応する変換ポリシーを保持する保持手段をさらに有する、
請求項３記載の情報変換システム。
【請求項９】  前記権利情報の中には、前記変換ポリシーを指定するＩＤが記録されており、
前記変換手段は、
変換ポリシーを管理する変換ポリシーサーバから前記ＩＤに対応する変換ポリシーを取得する、
請求項３記載の情報変換システム。
【請求項１０】  前記権利情報には、変換ポリシーの変更許可の規定が記録されており、
前記情報変換部は、
前記権利情報に記録された変換ポリシーの変更許可の規定に基づいて、前記権利情報に記録された変換ポリシーの修正を行う修正手段をさらに有する、
請求項３記載の情報変換システム。
【請求項１１】  前記権利情報には、コンテンツの利用に関する権利実行履歴が記録されており、
前記修正手段は、
前記権利情報に記録された権利実行履歴に基づいて、変換ポリシーが規定するコンテンツの利用条件の変え方を変更する、
請求項１０記載の情報変換システム。
【請求項１２】  前記権利情報には、コンテンツの利用に関する権利実行履歴が記録されており、
前記修正手段は、
前記権利情報に記録された権利実行履歴に基づいて、変換ポリシーが規定するコンテンツの変え方を変更する、
請求項１０記載の情報変換システム。
【請求項１３】  前記情報変換部は、双方向のファイル交換を行うリポジトリ間に存在する場合、
ファイル交換の実績を保持する保持手段をさらに有し、
前記変換手段は、
ファイル交換の実績を反映させた変換処理を行う、
請求項３記載の情報変換システム。
【請求項１４】  前記情報変換部は、
前記第２のリポジトリ部の能力情報／使用履歴情報および前記第２のリポジトリ部の能力／使用履歴に適したサービスを記録した能力データベースと、
前記能力データベースを参照して、前記第２のリポジトリ部に適したサービスを提示する提示手段と、
をさらに有する請求項３記載の情報変換システム。
【請求項１５】  前記情報変換部は、
前記第２のリポジトリ部の能力情報／使用履歴情報および前記第２のリポジトリ部以外の他のリポジトリ部の能力情報／使用履歴情報に基づいて、前記第２のリポジトリ部に適したサービスを検索する検索手段をさらに有し、
前記提示手段は、
前記検索手段によって検索されたサービスを提示する、
請求項１４記載の情報変換システム。
【請求項１６】  前記情報変換部は、
前記第１のリポジトリ部と同一のデバイス上に存在する、
請求項３記載の情報変換システム。
【請求項１７】  前記情報変換部は、
前記第２のリポジトリ部と同一のデバイス上に存在する、
請求項３記載の情報変換システム。
【請求項１８】  前記情報変換部は、
前記第１のリポジトリ部および前記第２のリポジトリ部と同一のデバイス上に存在する、
請求項３記載の情報変換システム。
【請求項１９】  前記情報変換部は、
前記第１のリポジトリ部および前記第２のリポジトリ部から独立したデバイス上に存在する、
請求項３記載の情報変換システム。
【請求項２０】  請求項１または請求項２記載の情報変換システムを有するコンテンツ配信システム。
【請求項２１】  前記第１のリポジトリ部から第２のリポジトリ部に送信される、コンテンツの権利情報を取得する第１取得ステップと、
前記第２のリポジトリ部の能力情報を取得する第２取得ステップと、
前記第１取得ステップで取得した権利情報を、前記第２取得ステップで取得した能力情報に基づいて、変換ポリシーに従って変換する変換ステップと、
前記変換ステップでの変換結果を前記第２のリポジトリ部に送信する送信ステップと、
を有する情報変換方法。
【請求項２２】  コンピュータに、
前記第１のリポジトリ部から第２のリポジトリ部に送信される、コンテンツの権利情報を取得する第１取得ステップと、
前記第２のリポジトリ部の能力情報を取得する第２取得ステップと、
前記第１取得ステップで取得した権利情報を、前記第２取得ステップで取得した能力情報に基づいて、変換ポリシーに従って変換する変換ステップと、
前記変換ステップでの変換結果を前記第２のリポジトリ部に送信する送信ステップと、
を実行させる情報変換プログラム。
【請求項２３】  コンテンツの権利情報を処理して得られた第１の権利情報を処理する情報変換部と、
前記情報変換部で処理して得られた第２の権利情報を処理するリポジトリ部と、を有し、
前記情報変換部は、
前記リポジトリ部の能力情報に応じて前記第１の権利情報の処理を行う、
情報変換システム。
【請求項２４】  コンテンツの権利情報を処理する第１のリポジトリ部と、
前記第１のリポジトリ部で処理して得られた第１の権利情報を処理する情報変換部と、を有し、
前記情報変換部は、
コンテンツの権利情報を処理する第２のリポジトリ部の能力情報に応じて前記第１の権利情報の処理を行う、
情報変換システム。
【手続補正３】
【補正対象書類名】明細書
【補正対象項目名】０００１
【補正方法】変更
【補正の内容】
【０００１】
【発明の属する技術分野】
本発明は、コンテンツや権利情報の内容を利用者側の権利管理機能に合わせて変換する情報変換システムに関し、特に、システムの利便性を高めて、コンテンツ配信サービスや電子チケットサービスなどの利用の促進を図ることができるものである。
【手続補正４】
【補正対象書類名】明細書
【補正対象項目名】００１９
【補正方法】変更
【補正の内容】
【００１９】
本発明は、かかる点に鑑みてなされたものであり、コンテンツの著作権を保護するための利用制限が多様化し、また、オンラインサービスの内容が多様化する状況のもとで、コンテンツを配信する側および利用する側の利便性を高めることができる情報変換システムを提供することを目的とする。
【手続補正５】
【補正対象書類名】明細書
【補正対象項目名】００２１
【補正方法】変更
【補正の内容】
【００２１】
本発明の情報変換システムは、コンテンツの権利情報を処理する第１のリポジトリ部と、前記第１のリポジトリ部で処理して得られた第１の権利情報を処理する情報変換部と、前記情報変換部で処理して得られた第２の権利情報を処理する第２のリポジトリ部と、を有し、前記情報変換部は、前記第２のリポジトリ部の能力情報に応じて前記第１の権利情報の処理を行う、構成を採る。好ましくは、前記情報変換部は、前記第１のリポジトリ部から第２のリポジトリ部に送信される、コンテンツの権利情報を取得する第１取得手段と、前記第２のリポジトリ部の能力情報を取得する第２取得手段と、前記第１取得手段によって取得された権利情報を、前記第２取得手段によって取得された能力情報に基づいて、変換ポリシーに従って変換する変換手段と、前記変換手段の変換結果を前記第２のリポジトリ部に送信する送信手段と、を有する構成を採る。
【手続補正６】
【補正対象書類名】明細書
【補正対象項目名】００２２
【補正方法】変更
【補正の内容】
【００２２】
この構成によれば、第１のリポジトリ部から第２のリポジトリ部に送信されるコンテンツの権利情報を、変換ポリシーに基づいて、第２のリポジトリ部の能力情報（コンテンツの権利管理能力）に合わせて変換するため、コンテンツの著作権を保護するための利用制限が多様化し、それに対応する各種のＤＲＭ能力を備えた機器や記録媒体が作られている状況のもとで、コンテンツの著作権を損なわずに、コンテンツの利用が可能となる機器や記録媒体の範囲を拡げて、コンテンツの利用の促進を図ることができる。